(57)【特許請求の範囲】
【請求項１】
入力文から感性表現を分離する感性表現分離部と、
前記感性表現分離部により分離された前記感性表現に対応する快適表現を生成する快適表現生成部と、
物理量とそれに対する感性表現とを含む例文を複数、および物理量とそれに対する快適表現とを含む例文を複数記憶している例文記憶部と、
前記例文記憶部を参照して、前記感性表現分離部により分離された前記感性表現を含む例文に基づく物理量の分布、および前記快適表現生成部により生成された前記快適表現を含む例文に基づく物理量の分布を推定する分布推定部と、
前記分布推定部により推定された２つの分布に基づき前記入力文に適合する物理量を決定する物理量決定部とを備える物理量決定装置。
【請求項２】
前記快適表現生成部は、前記感性表現分離部により分離された前記感性表現に対応する物理量が取り得る数値範囲を生成し、
前記分布推定部は、前記快適表現生成部により生成された前記数値範囲における分布を推定することを特徴とする請求項１記載の物理量決定装置。
【請求項３】
前記快適表現生成部は、前記感性表現分離部により分離された前記感性表現に対応する物理量の物理単位を生成し、
前記分布推定部は、前記快適表現生成部により生成された前記物理単位に対応する物理量の例文を用いて分布を推定することを特徴とする請求項１記載の物理量決定装置。
【請求項４】
前記分布推定部は、推定した物理量の分布を平滑化することを特徴とする請求項１記載の物理量決定装置。
【請求項５】
前記物理量決定部は、前記分布推定部により推定された２つの分布および予め設定されたユーザプロファイルに基づき前記入力文に適合する物理量を決定することを特徴とする請求項１記載の物理量決定装置。
【請求項６】
前記例文記憶部に記憶されている例文が、ある数値範囲の物理量とそれに対する感性表現とを含む例文である場合、またはある数値範囲の物理量とそれに対する快適表現とを含む例文である場合、
前記分布推定部は、前記ある数値範囲の物理量それぞれを用いて分布を推定することを特徴とする請求項１記載の物理量決定装置。
【請求項７】
前記物理量決定部により決定された前記物理量を用いて機器を制御する制御部を備えることを特徴とする請求項１記載の物理量決定装置。
【請求項８】
感性表現分離部が、入力文から感性表現を分離するステップと、
快適表現生成部が、前記感性表現分離部により分離された前記感性表現に対応する快適表現を生成するステップと、
分布推定部が、物理量とそれに対する感性表現とを含む例文を複数、および物理量とそれに対する快適表現とを含む例文を複数記憶している例文記憶部を参照して、前記感性表現分離部により分離された前記感性表現を含む例文に基づく物理量の分布、および前記快適表現生成部により生成された前記快適表現を含む例文に基づく物理量の分布を推定するステップと、
物理量決定部が、前記分布推定部により推定された２つの分布に基づき前記入力文に適合する物理量を決定するステップとを備える物理量決定方法。
【請求項９】
コンピュータに、
入力文から感性表現を分離する感性表現分離手順と、
前記感性表現分離手順で分離された前記感性表現に対応する快適表現を生成する快適表現生成手順と、
物理量とそれに対する感性表現とを含む例文を複数、および物理量とそれに対する快適表現とを含む例文を複数記憶している例文記憶部を参照して、前記感性表現分離手順で分離された前記感性表現を含む例文に基づく物理量の分布、および前記快適表現生成手順で生成された前記快適表現を含む例文に基づく物理量の分布を推定する分布推定手順と、
前記分布推定手順で推定された２つの分布に基づき前記入力文に適合する物理量を決定する物理量決定手順とを実行させるための物理量決定プログラム。
【発明の詳細な説明】
【技術分野】
【０００１】
この発明は、機器制御のための物理量を決定する物理量決定装置、物理量決定方法および物理量決定プログラムに関するものである。
【背景技術】
【０００２】
機器を制御することによりユーザの要求を満たすためには、従来、その機器の制御装置をユーザが操作する必要があった。この場合、制御に要する物理量をユーザが理解している必要がある。例えば、ユーザが「部屋が寒い」と感じる場合、ユーザはエアコンのリモートコントローラのボタンを操作して暖房機能を動作させ、部屋の温度を上げる必要がある。この際、ユーザは、リモートコントローラのボタン操作により、快適な温度を数値で設定する必要がある。しかし、このような操作は、ユーザにとって自然で直観的な操作とは言い難い。そこで、このような煩雑な操作をすることなしに、自然なユーザの要求をもとに機器を制御する方法として、感性表現を用いたユーザインタフェースが提案されている。このユーザインタフェースは、従来のボタン操作および項目選択操作のみではなく、人間の用いる曖昧な言葉、表情およびしぐさといった人間のとる自然な動作に基づく直観的な操作を実現可能にしている。【０００３】
例えば、特許文献１に係る発明では、商品検索において、暖かいか冷たいか、男性的か女性的か、安定か不安定か、対称的か非対称的か、および単純か複雑かなどのように、ユーザが商品を特定するのに用いる感性表現に着目している。この特許文献１では、商品の画像情報から求まる境界線画素数、ホール数、曲線度、色数および色分布などの物理量と、前述した感性表現との相関関係を、ユーザに対するアンケート調査等を通じた統計的手法で予め求めておくことで、感性表現を用いて画像を検索可能な画像検索装置が提案されている。
【先行技術文献】
【特許文献】
【０００４】
【特許文献１】特開平８−２４９３５１号公報
【発明の概要】
【発明が解決しようとする課題】
【０００５】
ユーザが感性表現を用いて機器を制御できれば、日常使われる言葉で直観的な制御が可能となる。しかしながら、特許文献１に係る発明では、商品の画像情報から求まる物理量と感性表現との相関関係を求めるために、事前のアンケート調査によりサンプル画像の感性表現をテキストとして収集しておく必要があった。物理量と感性表現との相関関係を精度よく求めるには、多くのサンプル画像を用意するとともに多くの被験者に多数のアンケートを実施する必要があり、コストおよび時間がかかる。上述したような「部屋が寒い」という要求は、ユーザが不満を感じている状態を感性表現で提示しているのであり、ユーザが要求する設定温度の数値を示しているわけではない。そのため、広範囲な温度パラメータの中から「部屋」という文脈にあった適切な設定温度を精度よく得るためには、従来のようにアンケート調査を実施するなど、大量のテキストを意図的に作成して学習する必要がある。しかし、その方法ではコストおよび時間がかかりすぎて、感性表現から物理量を精度よく得ることは実現困難であるという課題があった。【０００６】
この発明は、上記のような課題を解決するためになされたもので、感性表現から物理量を精度よく得ることを目的とする。
【課題を解決するための手段】
【０００７】
この発明に係る物理量決定装置は、入力文から感性表現を分離する感性表現分離部と、感性表現分離部により分離された感性表現に対応する快適表現を生成する快適表現生成部と、物理量とそれに対する感性表現とを含む例文を複数、および物理量とそれに対する快適表現とを含む例文を複数記憶している例文記憶部と、例文記憶部を参照して、感性表現分離部により分離された感性表現を含む例文に基づく物理量の分布、および快適表現生成部により生成された快適表現を含む例文に基づく物理量の分布を推定する分布推定部と、分布推定部により推定された２つの分布に基づき入力文に適合する物理量を決定する物理量決定部とを備えるものである。
【発明の効果】
【０００８】
この発明によれば、感性表現を含む例文に基づく物理量の分布と快適表現を含む例文に基づく物理量の分布とに基づき、入力文に適合する物理量を決定するようにしたので、感性表現から物理量を精度よく得ることができる。
【図面の簡単な説明】
【０００９】
【図１】この発明の実施の形態１に係る物理量決定装置の構成例を示すブロック図である。
【図２】この発明の実施の形態１に係る物理量決定装置のハードウェア構成の一例を示すハードウェア構成図である。
【図３】この発明の実施の形態１に係る物理量決定装置のハードウェア構成の別の例を示すハードウェア構成図である。
【図４】この発明の実施の形態１に係る物理量決定装置の動作を示すフローチャートである。
【図５】この発明の実施の形態１に係る物理量決定装置の感性表現分離部の動作を示すフローチャートである。
【図６】図６Ａは、この発明の実施の形態１に係る物理量決定装置の感性表現分離部が分離した感性表現と非感性表現の一例、図６Ｂは、感性表現記憶部に記憶されている感性表現の一例を示す図である。
【図７】この発明の実施の形態１に係る物理量決定装置の快適表現生成部の動作を示すフローチャートである。
【図８】図８Ａは、この発明の実施の形態１に係る物理量決定装置の快適表現記憶部に記憶されている快適表現および物理単位の一例、図８Ｂは、数値範囲の一例を示す図である。
【図９】この発明の実施の形態１に係る物理量決定装置の分布推定部の動作を示すフローチャートである。
【図１０】図１０Ａは、この発明の実施の形態１に係る物理量決定装置の物理単位挿入部が生成する物理単位挿入パターンの一例、図１０Ｂは、物理量表現の一例を示す図である。
【図１１】この発明の実施の形態１に係る物理量決定装置の換言処理部が記憶している換言情報の一例を示す図である。
【図１２】この発明の実施の形態１に係る物理量決定装置の換言処理部が生成する言い換え表現の一例を示す図である。
【図１３】図１３Ａおよび図１３Ｂは、この発明の実施の形態１に係る物理量決定装置のパターン組合生成部が生成するラティス表現の例を示す図である。
【図１４】図１４Ａおよび図１４Ｂは、この発明の実施の形態１に係る物理量決定装置のパターン組合生成部が生成する物理量表現パターンの例を示す図である。
【図１５】図１５Ａおよび図１５Ｂは、この発明の実施の形態１に係る物理量決定装置の照合部が計数する照合カウントの例を示す図である。
【図１６】この発明の実施の形態１に係る物理量決定装置の尤度計算部が生成するヒストグラムの一例を示す図である。
【図１７】この発明の実施の形態１に係る物理量決定装置の物理量決定部が生成するヒストグラムの一例を示す図である。
【図１８】この発明の実施の形態１に係る物理量決定装置の制御部の動作を示すフローチャートである。
【図１９】図１５Ａにおける部屋の温度と前接カウントとから作成されたヒストグラムを示す図である。
【図２０】この発明の理解を助けるための参考例として、空調機の風向きの角度を対象として作成されたヒストグラムを示す図である。
【図２１】この発明の実施の形態２に係る物理量決定装置の尤度計算部が生成するヒストグラムの一例を示す図である。
【図２２】この発明の実施の形態２に係る物理量決定装置の物理量決定部が生成するヒストグラムの一例を示す図である。
【図２３】この発明の実施の形態３に係る物理量決定装置の物理量決定部に予め設定されているユーザプロファイルの一例を示す図である。
【図２４】この発明の実施の形態４に係る物理量決定装置の換言処理部が生成する言い換え表現の一例を示す図である。
【図２５】この発明の実施の形態４に係る物理量決定装置の照合部が計数した一時的照合カウントの例を示す図である。
【発明を実施するための形態】
【００１０】
以下、この発明をより詳細に説明するために、この発明を実施するための形態について、添付の図面に従って説明する。
実施の形態１．
図１は、この発明の実施の形態１に係る物理量決定装置１の構成例を示すブロック図である。物理量決定装置１は、入力されたテキストデータの中に含まれる感性表現に基づいて物理量を決定し、その物理量を用いて機器１１４を制御するものである。実施の形態１に係る物理量決定装置１は、音声入力部１００と、音声認識部１０１と、感性表現記憶部１０２と、感性表現分離部１０３と、快適表現記憶部１０４と、快適表現生成部１０５と、物理単位挿入部１０６と、換言処理部１０７と、パターン組合生成部１０８と、照合部１０９と、例文記憶部１１０と、尤度計算部１１１と、物理量決定部１１２と、制御部１１３とを備える。分布推定部１２０は、物理単位挿入部１０６と、換言処理部１０７と、パターン組合生成部１０８と、照合部１０９と、尤度計算部１１１とにより構成される。
【００１１】
図２と図３は、この発明の実施の形態１に係る物理量決定装置１のハードウェア構成例を示すハードウェア構成図である。物理量決定装置１における音声入力部１００は、マイクロホン１０である。物理量決定装置１における音声認識部１０１、感性表現分離部１０３、快適表現生成部１０５、物理単位挿入部１０６、換言処理部１０７、パターン組合生成部１０８、照合部１０９、尤度計算部１１１、および物理量決定部１１２の各機能は、処理回路により実現される。即ち、物理量決定装置１は、上記各機能を実現するための処理回路を備える。処理回路は、専用のハードウェアとしての処理回路１２であってもよいし、メモリ２１に格納されるプログラムを実行するプロセッサ２０であってもよい。
【００１２】
図２に示すように、処理回路が専用のハードウェアである場合、処理回路１２は、例えば、単一回路、複合回路、プログラム化したプロセッサ、並列プログラム化したプロセッサ、ＡＳＩＣ（Ａｐｐｌｉｃａｔｉｏｎ−Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはこれらを組み合わせたものが該当する。音声認識部１０１、感性表現分離部１０３、快適表現生成部１０５、物理単位挿入部１０６、換言処理部１０７、パターン組合生成部１０８、照合部１０９、尤度計算部１１１、および物理量決定部１１２の機能を複数の処理回路１２で実現してもよいし、各部の機能をまとめて１つの処理回路１２で実現してもよい。
【００１３】
図３に示すように、処理回路がプロセッサ２０である場合、音声認識部１０１、感性表現分離部１０３、快適表現生成部１０５、物理単位挿入部１０６、換言処理部１０７、パターン組合生成部１０８、照合部１０９、尤度計算部１１１、および物理量決定部１１２の各機能は、ソフトウェア、ファームウェア、またはソフトウェアとファームウェアとの組み合わせにより実現される。ソフトウェアまたはファームウェアはプログラムとして記述され、メモリ２１に格納される。プロセッサ２０は、メモリ２１に格納されたプログラムを読みだして実行することにより、各部の機能を実現する。即ち、物理量決定装置１は、プロセッサ２０により実行されるときに、後述する図４のフローチャートで示されるステップが結果的に実行されることになるプログラムを格納するためのメモリ２１を備える。また、このプログラムは、音声認識部１０１、感性表現分離部１０３、快適表現生成部１０５、物理単位挿入部１０６、換言処理部１０７、パターン組合生成部１０８、照合部１０９、尤度計算部１１１、および物理量決定部１１２の手順または方法をコンピュータに実行させるものであるとも言える。
【００１４】
ここで、プロセッサ２０とは、ＣＰＵ（Ｃｅｎｔｒａｌ  Ｐｒｏｃｅｓｓｉｎｇ  Ｕｎｉｔ）、処理装置、演算装置、マイクロプロセッサ、またはマイクロコンピュータ等のことである。
メモリ２１は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、またはフラッシュメモリ等の不揮発性もしくは揮発性の半導体メモリであってもよいし、ハードディスクまたはフレキシブルディスク等の磁気ディスクであってもよいし、ＣＤ（Ｃｏｍｐａｃｔ  Ｄｉｓｃ）またはＤＶＤ（Ｄｉｇｉｔａｌ  Ｖｅｒｓａｔｉｌｅ  Ｄｉｓｃ）等の光ディスクであってもよい。
【００１５】
なお、音声認識部１０１、感性表現分離部１０３、快適表現生成部１０５、物理単位挿入部１０６、換言処理部１０７、パターン組合生成部１０８、照合部１０９、尤度計算部１１１、および物理量決定部１１２の各機能について、一部を専用のハードウェアで実現し、一部をソフトウェアまたはファームウェアで実現するようにしてもよい。このように、物理量決定装置１における処理回路は、ハードウェア、ソフトウェア、ファームウェア、またはこれらの組み合わせによって、上述の各機能を実現することができる。
【００１６】
物理量決定装置１における感性表現記憶部１０２、快適表現記憶部１０４、および例文記憶部１１０は、ハードディスクドライブ１１である。ハードディスクドライブ１１は、感性表現、快適表現、および例文の情報に加え、後述する物理単位および数値範囲等の情報も記憶する。
【００１７】
物理量決定装置１における制御部１１３は、空調機１４を制御するリモートコントローラ（以下、リモコン）２２または制御回路１３である。空調機１４は、部屋の温度を制御する。この空調機１４は、機器１１４の一例である。機器１１４は、物理量を制御する機器であり、空調機１４に限らず、風呂の水温を制御する給湯器等であってもよい。
【００１８】
次に、物理量決定装置１の動作を説明する。
図４は、この発明の実施の形態１に係る物理量決定装置１の動作を示すフローチャートである。以下の説明では、例としてユーザが「部屋が寒い」と発話し、この発話音声が音声入力部１００に入力されたものとする。また、物理量決定装置１の制御対象である機器１１４は、図２および図３の空調機１４であるものとする。
【００１９】
ステップＳＴ１００において、音声認識部１０１は、音声入力部１００に入力された音声を音声認識し、認識文「部屋が寒い」を得る。音声認識部１０１は、得られた認識文を入力文として感性表現分離部１０３へ出力する。音声認識部１０１による認識文を得る処理には、周知の方法（例えば、鹿野清宏ら、「音声認識システム」、オーム社、２００１年５月１５日、ｐ．５３〜１１１）が適用される。
【００２０】
ステップＳＴ２００において、感性表現分離部１０３は、音声認識部１０１から入力文を受け取る。感性表現分離部１０３は、感性表現記憶部１０２を参照して、入力文「部屋が寒い」から感性表現「寒い」と非感性表現「部屋」とを分離する。ステップＳＴ２００の詳細については、図５の感情表現分離サブルーチンで述べる。
【００２１】
ステップＳＴ３００において、快適表現生成部１０５は、快適表現記憶部１０４を参照して、感性表現分離部１０３により分離された感性表現「寒い」に対応する快適表現「快適」を生成する。また、快適表現生成部１０５は、感性表現分離部１０３により分離された感性表現「寒い」に対応する物理量が取り得る数値範囲として、最小値「０」および最大値「４０」を生成してもよい。さらに、快適表現生成部１０５は、感性表現分離部１０３により分離された感性表現「寒い」に対応する物理量の物理単位「℃」を生成してもよい。ステップＳＴ３００の詳細については、図７の快適表現生成サブルーチンで述べる。
【００２２】
ステップＳＴ４００において、分布推定部１２０は、例文記憶部１１０を参照して、快適表現生成部１０５により生成された快適表現を含む例文の分布、および感性表現分離部１０３により分離された感性表現を含む例文の分布を推定する。また、分布推定部１２０は、快適表現生成部１０５により生成された数値範囲における分布を推定してもよい。さらに、分布推定部１２０は、快適表現生成部１０５により生成された物理単位に対応する物理量の例文を用いて分布を推定してもよい。ステップＳＴ４００の詳細については、図９の分布推定サブルーチンで述べる。
【００２３】
ステップＳＴ５００において、物理量決定部１１２は、分布推定部１２０により推定された２つの分布に基づき、入力文「部屋が寒い」に適合する物理量「２２℃」を決定する。ステップＳＴ５００の詳細については、図９の分布推定サブルーチン説明時に述べる。
【００２４】
ステップＳＴ６００において、制御部１１３は、物理量決定部１１２により決定された物理量を用いて機器１１４を制御する。ステップＳＴ６００の詳細については、図１８
の機器制御サブルーチンで述べる。
このように構成することで、ユーザが満足する快適な状態になるような機器制御を実現できる。
【００２５】
次に、ステップＳＴ２００の感性表現分離サブルーチンについて説明する。
図５は、この発明の実施の形態１に係る物理量決定装置１の感性表現分離部１０３の動作を示すフローチャートである。図６Ａは、この発明の実施の形態１に係る物理量決定装置１の感性表現分離部１０３が分離した感性表現と非感性表現の一例である。図６Ｂは、この発明の実施の形態１に係る物理量決定装置１の感性表現記憶部１０２に記憶されている感性表現の一例を示す図である。
【００２６】
ステップＳＴ２０１において、感性表現分離部１０３は、入力文「部屋が寒い」を形態素解析し、図６Ａに示す単語の表記と品詞とをペアとした形態素列を得て、形態素解析結果１００１としてメモリに記憶する。このメモリは、図２および図３におけるハードディスクドライブ１１またはメモリ２１である。これ以降も、メモリは、図２および図３におけるハードディスクドライブ１１またはメモリ２１を指すこととする。
感性表現分離部１０３による形態素解析結果を得る処理には、周知の方法（例えば、長尾真、「自然言語処理」、岩波書店、１９９６年４月２６日、ｐ．１１８〜１３７）が適用される。
【００２７】
ステップＳＴ２０２において、感性表現分離部１０３は、感性表現記憶部１０２に記憶されている感性表現１００２を列ごとに参照して、形態素解析結果１００１の形態素と同一であるか否かを判定することによって該当か非該当かをチェックする。
感性表現１００２は、図６Ｂのように、感性表現の表記と品詞とがペアとなっている。例えば、形態素解析結果１００１の形態素番号３「寒い」（形容詞）は、感性表現１００２の「寒い」（形容詞）と表記も品詞も一致するため、感性表現と判定される。一方、形態素解析結果１００１の形態素番号１「部屋」（名詞）と形態素番号２「が」（助詞）は、感性表現１００２のいずれとも一致しないため、非感性表現と判定される。
【００２８】
ステップＳＴ２０３において、感性表現分離部１０３は、形態素解析結果１００１の形態素が感性表現１００２に該当する場合、その形態素を感性表現としてメモリに記憶し、形態素解析結果１００１の形態素が感性表現１００２に該当しない場合、その形態素を非感性表現としてメモリに記憶する。
【００２９】
次に、ステップＳＴ３００の快適表現生成サブルーチンについて説明する。
図７は、この発明の実施の形態１に係る物理量決定装置１の快適表現生成部１０５の動作を示すフローチャートである。図８Ａは、この発明の実施の形態１に係る物理量決定装置１の快適表現記憶部１０４に記憶されている快適表現および物理単位の一例を示す図である。図８Ｂは、この発明の実施の形態１に係る物理量決定装置１の快適表現記憶部１０４に記憶されている数値範囲の一例を示す図である。
【００３０】
ステップＳＴ３０１において、快適表現生成部１０５は、快適表現記憶部１０４に記憶されている快適表現１００３を参照して、感性表現分離部１０３がメモリに記憶した感性表現「寒い」（形容詞）と一致する「寒い」（形容詞）を検索し、検索した「寒い」（形容詞）に対応する快適表現「快適」（名詞）を読み出し、メモリに記憶する。
快適表現１００３は、図８Ａのように、感性表現の表記と品詞、快適表現の表記と品詞、および物理単位の表記と品詞が一組となっている。感性表現とは、人が外界から受ける印象を表現した、「寒い」および「暑い」等の文字列である。快適表現とは、感性表現として表される感性が快適な様を表現した、「快適」および「心地よい」等の文字列である。
【００３１】
ステップＳＴ３０２において、快適表現生成部１０５は、快適表現記憶部１０４に記憶されている快適表現１００３を参照して、感性表現分離部１０３がメモリに記憶した感性表現「寒い」（形容詞）と一致する「寒い」（形容詞）を検索し、検索した「寒い」（形容詞）に対応する物理単位「℃」（記号）を読み出し、メモリに記憶する。
【００３２】
ステップＳＴ３０３において、快適表現生成部１０５は、快適表現記憶部１０４に記憶されている数値範囲１００４を参照して、感性表現分離部１０３がメモリに記憶した感性表現「寒い」（形容詞）および非感性表現「部屋」（名詞）に対応する数値範囲を検索し、検索した数値範囲の最小値「０」および最大値「４０」を読み出し、メモリに記憶する。
数値範囲１００４は、図８Ｂのように、非感性表現の表記と品詞、感性表現の表記と品詞、快適表現の表記と品詞、物理単位の表記と品詞、および数値範囲の最小値と最大値が一組となっている。数値範囲は、ユーザが機器１１４の制御に通常用いる物理量の範囲として設計者が予め設定した値であり、機器１１４である空調機１４が制御可能な気温範囲、または、機器１１４である給湯器が制御可能な水温範囲などである。
なお、ステップＳＴ３０２およびステップＳＴ３０３の処理は必須ではなく、省略が可能である。
【００３３】
次に、ステップＳＴ４００の分布推定サブルーチンについて説明する。
図９は、この発明の実施の形態１に係る物理量決定装置１の分布推定部１２０の動作を示すフローチャートである。
【００３４】
ステップＳＴ４０１において、物理単位挿入部１０６は、感性表現分離部１０３が分離した感性表現および快適表現生成部１０５が生成した物理単位などに基づき、感性表現に物理単位を挿入した物理量表現を生成する。
図１０Ａは、この発明の実施の形態１に係る物理量決定装置１の物理単位挿入部１０６が生成する物理単位挿入パターン１００５の一例を示す図である。図１０Ｂは、この発明の実施の形態１に係る物理量決定装置１の物理単位挿入部１０６が生成する物理量表現１００６の一例を示す図である。物理単位挿入部１０６は、図１０Ａのように、非感性表現と感性表現との間を物理量、物理単位および接続表現で埋めるための物理単位挿入パターン１００５を生成し、メモリに記憶する。物理単位挿入パターン１００５の接続表現には、「で」（助詞）が予め入力されている。物理単位挿入部１０６は、感性表現分離部１０３が分離した非感性表現の形態素列「部屋」（名詞）および「が」（助詞）をメモリから読み出し、物理単位挿入パターン１００５の非感性表現に入力する。物理単位挿入部１０６は、快適表現生成部１０５が生成した物理単位「℃」（記号）をメモリから読み出し、物理単位挿入パターン１００５の物理単位に入力する。物理単位挿入部１０６は、感性表現分離部１０３が分離した感性表現「寒い」（形容詞）をメモリから読み出し、物理単位挿入パターン１００５の感性表現に入力する。物理量は空欄とする。これにより、感性表現に物理単位を挿入した物理量表現１００６が生成される。
【００３５】
ステップＳＴ４０２において、換言処理部１０７は、物理量表現１００６を言い換えた言い換え表現を生成する。
図１１は、この発明の実施の形態１に係る物理量決定装置１の換言処理部１０７が記憶している換言情報１００７の一例を示す図である。図１２は、この発明の実施の形態１に係る物理量決定装置１の換言処理部１０７が生成する言い換え表現１００８の一例を示す図である。換言処理部１０７は、図１１のような換言情報１００７を予め記憶している。換言情報１００７は、温度記述において、同じ意味で別の表現となる形態素の情報である。例えば、漢字表記「寒い」（形容詞）は、かな表記の「さむい」（形容詞）に置き換えられることを示している。特に、「部屋」（名詞）は、実際には“部屋の温度”を指しているので、換言として「気温」（名詞）が記憶されている。「風呂」（名詞）は、現実では“風呂の水の温度”を指しているが、ユーザは“水があつい”などとは言わず換喩の「風呂」を用いるため、換言としては「お風呂」（名詞）が記憶されている。換言処理部１０７は、この換言情報１００７を用いて、物理単位が挿入された物理量表現１００６の各形態素に対して換言した形態素を付与し、図１２の言い換え表現１００８を生成する。例えば「部屋が    ℃で寒い」という物理量表現１００６に対して、「気温が    度はさむい」という言い換え表現１００８が生成される。換言処理部１０７が換言処理を行うことによって、同じ意味であるのに表記が異なるために後述の照合部１０９でカウントされないことを防ぎ、照合部１０９の計数の精度を向上させることができる。
【００３６】
ステップＳＴ４０３において、パターン組合生成部１０８は、言い換え表現１００８に基づき、ラティス表現を生成する。
図１３Ａおよび図１３Ｂは、この発明の実施の形態１に係る物理量決定装置１のパターン組合生成部１０８が生成するラティス表現１００９およびラティス表現１０１０の例を示す図である。パターン組合生成部１０８は、言い換え表現１００８の品詞情報を削除し、形態素列を連結して文字列（ストリング）にする。また、パターン組合生成部１０８は、言い換え表現１００８のうちの空欄であった物理量については、快適表現生成部１０５が生成した数値範囲の最小値から最大値までの１きざみの物理量を文字列にする。なお、物理量のきざみ幅は１以外の値でもよい。これにより、図１３Ａの感性表現のラティス表現１００９が生成される。
また、パターン組合生成部１０８は、快適表現についても同様の処理手順で図１３Ｂに示すラティス表現１０１０を生成する。パターン組合生成部１０８がパターン生成処理を行うことによって、言い換えを含む表現を網羅した文字列を、後述する照合部１０９ですべて計数することができる。
【００３７】
さらに、パターン組合生成部１０８は、ラティス表現１００９，１０１０の同じ列の文字列を入れ替えたすべての組み合わせを生成することで、物理量表現パターンを生成する。
図１４Ａおよび図１４Ｂは、この発明の実施の形態１に係る物理量決定装置１のパターン組合生成部１０８が生成する物理量表現パターン１０１１および物理量表現パターン１０１２の例を示す図である。パターン組合生成部１０８は、感性表現のラティス表現１００９の第１行「部屋が０℃で寒い」における物理量「０」をキーとして、非感性表現と物理量と物理単位の文字列を接続した文字列を前接パターン、接続表現と感性表現の文字列を接続した文字列を後接パターンとする。パターン組合生成部１０８は、前接パターンと後接パターンを物理量の温度別にメモリに記憶して、図１４Ａに示す物理量表現パターン１０１１を得る。パターン組合生成部１０８は、感性表現のラティス表現１００９の第２行以降についても同様の処理手順で物理量表現パターンを生成する。
また、パターン組合生成部１０８は、快適表現のラティス表現１０１０についても同様の処理手順で図１４Ｂに示す物理量表現パターン１０１２を生成する。
【００３８】
ステップＳＴ４０４において、照合部１０９は、物理量表現パターン１０１１，１０１２と例文記憶部１１０が記憶している例文とを文字列照合し、一致した数を計数してメモリに記憶する。例文記憶部１１０には、すでに蓄積されていて、新たに入手または作成する必要のない、機械的に収集が可能なテキストデータが、例文として大量に記憶されている。例文として、例えば「部屋が１０℃で寒い」のように、物理量とそれに対する感性表現とを含むテキストデータ、および、例えば「部屋が２５度℃で快適」のように、物理量とそれに対する快適表現とを含むテキストデータが存在する。例文として、例えばインターネット上にある膨大なテキストデータを利用可能であり、ラティス表現である必要はない。
図１５Ａおよび図１５Ｂは、この発明の実施の形態１に係る物理量決定装置１の照合部１０９が計数した照合カウント１０１３，１０１４の例を示す図である。照合部１０９は、図１５Ａに示すように、感性表現の物理量表現パターン１０１１における前接パターンと例文記憶部１１０の例文とが一致した数を前接カウント、後接パターンを含めた全体の文字列と例文記憶部１１０の例文とが一致した数を全体カウントとして、照合カウント１０１３をメモリに記憶する。
また、照合部１０９は、快適表現の物理量表現パターン１０１２についても同様の処理手順で、図１５Ｂに示す照合カウント１０１４をメモリに記憶する。
【００３９】
ステップＳＴ４０５において、尤度計算部１１１は、照合カウント１０１３，１０１４を用いて尤度を算出し、物理量と尤度とに関するヒストグラムを生成する。
図１６は、この発明の実施の形態１に係る物理量決定装置１の尤度計算部１１１が生成するヒストグラム１０１５の一例を示す図である。尤度計算部１１１は、感性表現の物理量表現パターン１０１１および快適表現の物理量表現パターン１０１２のそれぞれについて、式（１）を用いて温度ｔの尤度Ｌｔを算出する。式（１）において、ｅは後接パターン、ｎｔは温度ｔの前接パターンである。尤度Ｌｔは、温度ｔごとに全体カウント÷前接カウントで得られる。尤度計算部１１１は、温度を横軸、尤度を縦軸としたヒストグラム１０１５を生成する。ヒストグラム１０１５において、破線は温度に対する感性表現「寒い」の尤度の分布であり、実線は温度に対する快適表現「快適」の尤度の分布である。
0006494882.tif 000002
【００４０】
ステップＳＴ４０５の後、ステップＳＴ５００において、物理量決定部１１２は、ヒストグラム１０１５を用いて、入力文に適合する物理量を決定する。具体的には、物理量決定部１１２は、ヒストグラム１０１５の感性表現「寒い」の尤度と快適表現「快適」の尤度とを１つにまとめて最適値Ｌｃｔを算出し、温度に対する最適値Ｌｃｔの分布に基づいて入力文に適合する物理量を決定して機器１１４へ出力する。最適値Ｌｃｔは、式（２）により算出される。式（２）において、Ｌａｔは快適表現「快適」の尤度、Ｌｂｔは感性表現「寒い」の尤度である。
0006494882.tif 000003
【００４１】
図１７は、この発明の実施の形態１に係る物理量決定装置１の物理量決定部１１２が生成するヒストグラム１０１６の一例を示す図である。ヒストグラム１０１６は、温度が横軸、寒さを考慮した尤度、つまり最適値Ｌｃｔが縦軸である。物理量決定部１１２は、このヒストグラム１０１６において最尤の２２℃を、入力文「部屋が寒い」に適合する物理量として決定する。このようにすることで、ユーザが「寒い」と発話していることを考慮して、ユーザが満足する快適な温度に制御できるようになる。
【００４２】
次に、ステップＳＴ６００の機器制御サブルーチンについて説明する。
図１８は、この発明の実施の形態１に係る物理量決定装置１の制御部１１３の動作を示すフローチャートである。
【００４３】
ステップＳＴ６０１において、制御部１１３は、物理量決定部１１２により決定された物理量「２２℃」を、制御コマンドとして機器１１４に送信し、機器１１４を制御する。機器１１４である空調機１４は、現在の室温を計測し、室温が２２℃より低ければ暖房運転を開始し、２２℃より高ければ冷房運転を開始する。
【００４４】
ステップＳＴ６０２において、機器１１４は、室温が適温である２２℃になったか否かを確認する。機器１１４は、室温が２２℃になっておらず不適であればステップＳＴ６０１へ戻り、室温が２２℃の適温になっていれば機器制御サブルーチンを終了する。
【００４５】
以上のように、実施の形態１に係る物理量決定装置１は、入力文から感性表現を分離する感性表現分離部１０３と、感性表現分離部１０３により分離された感性表現に対応する快適表現を生成する快適表現生成部１０５と、物理量とそれに対する感性表現とを含む例文を複数、および物理量とそれに対する快適表現とを含む例文を複数記憶している例文記憶部１１０と、例文記憶部１１０を参照して、感性表現分離部１０３により分離された感性表現を含む例文に基づく物理量の分布、および快適表現生成部１０５により生成された快適表現を含む例文に基づく物理量の分布を推定する分布推定部１２０と、分布推定部１２０により推定された２つの分布に基づき入力文に適合する物理量を決定する物理量決定部１１２とを備える構成である。感性表現を含む例文に基づく物理量の分布と快適表現を含む例文に基づく物理量の分布とに基づき物理量を決定するため、感性表現から物理量を精度よく得ることができる。また、アンケート調査などを実施してコストと時間をかけて意図的に作成したテキストデータではなく、作成にコストのかからない入手容易な大量のテキストデータを例文として用いることができる。
【００４６】
また、実施の形態１によれば、快適表現生成部１０５は、感性表現分離部１０３により分離された感性表現に対応する物理量が取り得る数値範囲を生成し、分布推定部１２０は、快適表現生成部１０５により生成された数値範囲における分布を推定する構成である。これにより、照合部１０９が感性表現の物理量表現パターン１０１１および快適表現の物理量表現パターン１０１２と例文記憶部１１０の例文とを照合する際に、照合すべきパターン数または文法の規模を小さくすることができ、計算量を削減できる。
【００４７】
また、実施の形態１によれば、快適表現生成部１０５は、感性表現分離部１０３により分離された感性表現に対応する物理量の物理単位を生成し、分布推定部１２０は、快適表現生成部１０５により生成された物理単位に対応する物理量の例文を用いて分布を推定する構成である。これにより、照合部１０９が感性表現の物理量表現パターン１０１１および快適表現の物理量表現パターン１０１２と例文記憶部１１０の例文とを照合する際に、照合すべきパターン数または文法の規模を小さくすることができ、計算量を削減できる。
【００４８】
また、実施の形態１によれば、物理量決定装置１は、物理量決定部１１２により決定された物理量を用いて機器１１４を制御する制御部１１３を備える構成である。これにより、感性表現から得た精度のよい物理量を用いて、ユーザの満足する快適な状態に機器１１４を制御することができる。
【００４９】
実施の形態２．
この発明の実施の形態２に係る物理量決定装置１は、図１に示した実施の形態１に係る物理量決定装置１と図面上の構成が同じであるため、以下では図１を援用する。
【００５０】
上記実施の形態１によれば、尤度計算部１１１は、例えば１きざみの物理量ごとに尤度を算出していた。すると尤度の極大値が散在する場合があり、その場合に物理量決定の信頼性が低下する可能性がある。これは、人間が数を数える際に、物理単位に応じて数える基準となる値に偏りがあることに起因する。これを説明するために、図１９に、図１５Ａにおける部屋の温度と前接カウントとから作成されたヒストグラム１０１７を示す。図１９に示すように、人間は温度を数える場合に、０、５、１０、１５と、５℃おきに数えることが多く、偏りがあることがわかる。他方、図２０に、空調機１４の風向きの角度を対象として、上記同様に作成されたヒストグラム１０１８を示す。図２０に示すように、人間が角度を数える場合には、１５、３０、４５、６０と、１５度おきに極大値が出現しており、１５度おきに数えることがわかる。
【００５１】
実施の形態１では、分布推定部１２０の尤度計算部１１１が、式（１）を用いて１℃ずつ尤度Ｌｔを算出して、図１６のヒストグラム１０１５を作成していた。
実施の形態２では、分布推定部１２０の尤度計算部１１１が、推定した物理量の分布を平滑化する。具体的には、尤度計算部１１１は、式（１）を用いて１℃ずつ尤度Ｌｔを算出し、算出した尤度Ｌｔから窓長を５とした場合の単純移動平均を算出することによって分布を平滑化した後、平滑化した尤度を用いてヒストグラムを作成する。
図２１は、この発明の実施の形態２に係る物理量決定装置１の尤度計算部１１１が生成するヒストグラム１０１９の一例を示す図である。ヒストグラム１０１９の横軸は温度、縦軸は平滑化尤度である。また、ヒストグラム１０１９において、破線は温度に対する感性表現「寒い」の平滑化尤度の分布であり、実線は温度に対する快適表現「快適」の平滑化尤度の分布である。
【００５２】
物理量決定部１１２は、尤度計算部１１１が平滑化した後の感性表現「寒い」の尤度と快適表現「快適」の尤度とを用いて、式（２）に従い最適値Ｌｃｔを算出する。
図２２は、この発明の実施の形態２に係る物理量決定装置１の物理量決定部１１２が生成するヒストグラム１０２０の一例を示す図である。ヒストグラム１０２０は、温度が横軸、寒さを考慮した平滑化尤度、つまり最適値Ｌｃｔが縦軸である。物理量決定部１１２は、このヒストグラム１０２０において最尤の２０℃を、入力文「部屋が寒い」に適合する物理量として決定する。
【００５３】
以上のように、実施の形態２によれば、分布推定部１２０は、推定した物理量の分布を平滑化する構成である。このように構成することで、図２２に示すように尤度の極大値が散在することを防ぎ、物理量決定の信頼性を向上させることができる。これにより、物理単位に応じて数える基準となる値に偏りが生じることを抑制でき、より高精度に尤度を推定でき、ひいてはより精度よく物理量を決定することが可能である。
【００５４】
実施の形態３．
この発明の実施の形態３に係る物理量決定装置１は、図１に示した実施の形態１に係る物理量決定装置１と図面上の構成が同じであるため、以下では図１を援用する。
【００５５】
実施の形態３では、物理量決定部１１２が物理量を決定する際、感性表現を含む例文に基づく物理量の分布と快適表現を含む例文に基づく物理量の分布とに加えて、予め設定されたユーザプロファイルも使用する。
【００５６】
ここでは、上記実施の形態２の図２１に示したヒストグラム１０１９を例に用いて、実施の形態３を説明する。
図２３は、この発明の実施の形態３に係る物理量決定装置１の物理量決定部１１２に予め設定されているユーザプロファイル１０２１の一例を示す図である。例えば、ユーザプロファイル１０２１に示す「暑がり」、「ふつう」および「寒がり」のうちの１つの情報が、物理量決定部１１２に設定されているものとする。物理量決定部１１２は、ヒストグラム１０１９の温度に対する感性表現「寒い」の平滑化尤度の分布と、温度に対する快適表現「快適」の平滑化尤度の分布と、ユーザプロファイル１０２１とを用いて、入力文に適合するとともにユーザの特性に合わせた物理量を決定する。具体的には、物理量決定部１１２は、予め設定されたユーザプロファイル１０２１が「ふつう」の場合には、上記実施の形態１，２と同様の処理手順で物理量を決定する。物理量決定部１１２は、予め設定されたユーザプロファイル１０２１が「暑がり」の場合には、快適表現「快適」の平滑化尤度が感性表現「寒い」の平滑化尤度を上回る条件「Ｌａｔ＞Ｌｂｔの最小値」を満たす「１８℃」を、物理量として決定する。物理量決定部１１２は、予め設定されたユーザプロファイル１０２１が「寒がり」の場合には、感性表現「寒い」の平滑化尤度が最小になる条件「Ｌｂｔが最小になる最低温度」を満たす「２５℃」を、物理量として決定する。
【００５７】
なお、図２３に例示したユーザプロファイル１０２１は、感性表現「寒い」に関するものであり、別の感性表現（例えば、「暑い」）については別のユーザプロファイルを用いればよい。
また、物理量決定部１１２が物理量を決定する際に、実施の形態２記載の平滑化尤度を用いたが、実施の形態１記載の平滑化前の尤度を用いてもよい。
【００５８】
以上のように、実施の形態３によれば、物理量決定部１１２は、分布推定部１２０により推定された２つの分布および予め設定されたユーザプロファイルに基づき入力文に適合する物理量を決定する構成である。このように構成することで、ユーザの細かい嗜好に応じた物理量を精度よく決定して機器１１４を制御することができる。
【００５９】
実施の形態４．
この発明の実施の形態４に係る物理量決定装置１は、図１に示した実施の形態１に係る物理量決定装置１と図面上の構成が同じであるため、以下では図１を援用する。
【００６０】
上記実施の形態１〜３では、例文記憶部１１０の例文として、例えばインターネット上にあるテキストデータを利用する構成にした。このようなテキストデータの中には、一つの物理量を含む例文だけでなく、例えば「部屋が０℃〜２℃で寒い」のようなある数値範囲の物理量を含む例文も存在する。後者のような例文が例文記憶部１１０に記憶されている場合、照合部１０９において正確なカウントができずに精度が低下する可能性がある。
【００６１】
そこで、実施の形態４では、例文記憶部１１０に記憶されている例文がある数値範囲の物理量とそれに対する感性表現とを含む例文である場合、またはある数値範囲の物理量とそれに対する快適表現とを含む例文である場合、分布推定部１２０の尤度計算部１１１は、ある数値範囲の物理量それぞれを用いて分布を推定する。
尤度計算部１１１は、「部屋が０℃〜２℃で寒い」という例文の場合、最小値「０」を物理量１、最大値「２」を物理量２として、式（３）を用いて尤度を算出する。式（３）においてｑ１が物理量１、ｑ２が物理量２である。また、尤度計算部１１１は、物理量ｑ１〜ｑ２以外の、数値範囲の表現が無い物理量については、実施の形態１における式（１）を用いて尤度を計算する。
0006494882.tif 000004
【００６２】
以下、具体例を示す。
実施の形態４では、例文記憶部１１０に記憶されている例文がある数値範囲の物理量とそれに対する感性表現とを含む例文である場合、またはある数値範囲の物理量とそれに対する快適表現とを含む例文である場合、換言処理部１０７とパターン組合生成部１０８が以下に示す手順によって、追加の例文を生成する。照合部１０９は、例文記憶部１１０に記憶されている例文だけでなく上記追加の例文も参照して、感性表現および快適表現との一致数を計数し、尤度計算部１１１が尤度を算出する。
【００６３】
図２４は、この発明の実施の形態４に係る物理量決定装置１の換言処理部１０７が生成する言い換え表現１０２２の一例を示す図である。まず、換言処理部１０７が言い換え表現を生成する際に上述の物理量１である＜ｑ１＞および物理量２である＜ｑ２＞を生成し、図２４の言い換え表現１０２２を生成する。パターン組合生成部１０８は、言い換え表現１０２２に基づき、物理量表現パターンを生成する。上記「部屋が０℃〜２℃で寒い」という例文の場合、＜ｑ１＞と＜ｑ２＞に一致する物理量をもとに「部屋が０℃で寒い」、「部屋が１℃で寒い」、および「部屋が２℃で寒い」という温度１度きざみの３つの例文が生成される。なお、物理量のきざみ幅は１以外の値でもよい。
【００６４】
図２５は、この発明の実施の形態４に係る物理量決定装置１の照合部１０９が計数した一時的照合カウント１０２３の例を示す図である。照合部１０９は、上述のようにして換言処理部１０７およびパターン組合生成部１０８が生成した「部屋が０℃で寒い」、「部屋が１℃で寒い」、および「部屋が２℃で寒い」という例文と、感性表現の物理量表現パターン１０１１とを文字列照合し、一致した数を計数し、図２５の一時的照合カウント１０２３を得る。これにより、「部屋が０℃〜２℃で寒い」という例文中に現れない「部屋が１℃で寒い」という例文と感性表現および快適表現とを照合してカウントすることができる。そして、尤度計算部１１１は、図１５Ａに示した照合カウント１０１３の全体カウントに一時的照合カウント１０２３の全体カウントを足したカウント数、および式（３）を用いて尤度を算出し、温度に対する尤度のヒストグラムを生成する。これにより、精度よく尤度を算出することができ、ひいてはより精度よく物理量を決定することが可能である。
【００６５】
ここでは、例文がある数値範囲の物理量とそれに対する感性表現とを含む例を示したが、例文がある数値範囲の物理量とそれに対する快適表現とを含む場合も同様の手順により、ある数値範囲の物理量それぞれについての例文が生成される。
【００６６】
以上のように、実施の形態４によれば、例文記憶部１１０に記憶されている例文が、ある数値範囲の物理量とそれに対する感性表現とを含む例文である場合、またはある数値範囲の物理量とそれに対する快適表現とを含む例文である場合、分布推定部１２０は、ある数値範囲の物理量それぞれを用いて分布を推定する構成である。このように構成することで、例文に数値範囲の表現があっても、物理量を精度よく決定して機器１１４を制御することができる。
【００６７】
なお、実施の形態１〜４では、日本語を対象とした物理量決定装置１を説明したが、物理量決定装置１が対象とする言語は日本語に限定されるものではない。
また、実施の形態１〜４では、ユーザの発話を音声認識した認識文を入力文として用いる例を説明したが、入力文は認識文に限定されるものではない。例えば、テキストデータが入力文として物理量決定装置１に入力される構成であれば、音声入力部１００および音声認識部１０１は省略可能である。
また、実施の形態１〜４では、物理量決定装置１が制御部１１３を備える例を説明したが、制御部１１３は省略可能である。例えば、物理量決定装置１は、物理量決定部１１２により決定された物理量を空調機等へ出力し、空調機等は物理量決定装置１が出力した物理量を用いて温度等の制御を行う構成であってもよい。
【００６８】
上記以外にも、この発明はその発明の範囲内において、各実施の形態の自由な組み合わせ、各実施の形態の任意の構成要素の変形、または各実施の形態の任意の構成要素の省略が可能である。
【産業上の利用可能性】
【００６９】
この発明に係る物理量決定装置は、感性表現から物理量を決定するようにしたので、空調機または給湯器等の機器を制御するための物理量決定装置などに用いるのに適している。
【符号の説明】
【００７０】
１  物理量決定装置、１０  マイクロホン、１１  ハードディスクドライブ、１２  処理回路、１３  制御回路、１４  空調機、２０  プロセッサ、２１  メモリ、２２  リモコン、１００  音声入力部、１０１  音声認識部、１０２  感性表現記憶部、１０３  感性表現分離部、１０４  快適表現記憶部、１０５  快適表現生成部、１０６  物理単位挿入部、１０７  換言処理部、１０８  パターン組合生成部、１０９  照合部、１１０  例文記憶部、１１１  尤度計算部、１１２  物理量決定部、１１３  制御部、１１４  機器、１２０  分布推定部、１００１  形態素解析結果、１００２  感性表現、１００３  快適表現、１００４  数値範囲、１００５  物理単位挿入パターン、１００６  物理量表現、１００７  換言情報、１００８  言い換え表現、１００９，１０１０  ラティス表現、１０１１，１０１２  物理量表現パターン、１０１３，１０１４  照合カウント、１０１５〜１０２０  ヒストグラム、１０２１  ユーザプロファイル、１０２２  言い換え表現、１０２３  一時的照合カウント。
【図１】
0006494882.tif 000005
【図２】
0006494882.tif 000006
【図３】
0006494882.tif 000007
【図４】
0006494882.tif 000008
【図５】
0006494882.tif 000009
【図６】
0006494882.tif 000010
【図７】
0006494882.tif 000011
【図８】
0006494882.tif 000012
【図９】
0006494882.tif 000013
【図１０】
0006494882.tif 000014
【図１１】
0006494882.tif 000015
【図１２】
0006494882.tif 000016
【図１３】
0006494882.tif 000017
【図１４】
0006494882.tif 000018
【図１５】
0006494882.tif 000019
【図１６】
0006494882.tif 000020
【図１７】
0006494882.tif 000021
【図１８】
0006494882.tif 000022
【図１９】
0006494882.tif 000023
【図２０】
0006494882.tif 000024
【図２１】
0006494882.tif 000025
【図２２】
0006494882.tif 000026
【図２３】
0006494882.tif 000027
【図２４】
0006494882.tif 000028
【図２５】
0006494882.tif 000029